(57)【特許請求の範囲】
【請求項１】
ランダムデータによりＱＰＳＫあるいはＱＡＭ変調されたＯＦＤＭ信号のキャリアを複素数のデータとして出力するステップと、前記各キャリアを逆フーリエ変換して複素数の時間波形データとして出力するステップと、前記時間波形データに対し、ＯＦＤＭシンボル期間の後端部におけるキャリア波形をＯＦＤＭシンボルの前端にガードインターバルとして付加するステップと、前記ガードインターバルを付加したＯＦＤＭ信号を４倍の周波数にアップサンプルするステップと、前記アップサンプルしたＯＦＤＭ信号を直交変調するステップと、前記直交変調後の信号に対して帯域外スぺクトラムを除去するステップとからなるソフトウェア処理によりＯＦＤＭの時間波形データを得たものを波形バンク部に登録し、信号発生に際しては前記波形バンク部に登録された時間波形データを前記波形バンク部から読出し、高速メモリに記憶させ、前記高速メモリから繰り返し出力することを特徴とするデジタル放送の疑似信号発生方法。
【請求項２】
ランダムデータによりＱＰＳＫあるいはＱＡＭ変調されたＯＦＤＭ信号のキャリアを複素数のデータとして出力するステップと、前記各キャリアを逆フーリエ変換して複素数の時間波形データとして出力するステップと、前記時間波形データに対し、ＯＦＤＭシンボル期間の後端部におけるキャリア波形をＯＦＤＭシンボルの前端にガードインターバルとして付加するステップと、前記ガードインターバルを付加したＯＦＤＭ信号の帯域外スぺクトラムを除去するステップと、前記帯域外スぺクトラムを除去した信号を４倍の周波数にアップサンプルし、４倍アップサンプルフィルタを介して取り出すステップと、前記４倍アップサンプルフィルタの出力信号を直交変調するステップと、前記直交変調後の信号に対して帯域外スぺクトラムを除去するステップとからなるソフトウェア処理によりＯＦＤＭの時間波形データを得たものを波形バンク部に登録し、信号発生に際しては前記波形バンク部に登録された時間波形データを前記波形バンク部から読出し、高速メモリに記憶させ、前記高速メモリから繰り返し出力することを特徴とするデジタル放送の疑似信号発生方法。
【請求項３】
前記直交変調後の信号に対して帯域外スぺクトラムを除去するステップは、ＯＦＤＭ信号を構成する先頭のシンボルの前に末尾と同じシンボルを付加すると共に、末尾のシンボルの後に先頭と同じシンボルを付加するステップと、前記シンボルを付加したＯＦＤＭ信号をフィルタ処理して帯域外スぺクトラムを除去するステップと、前記帯域外スぺクトラムを除去したＯＦＤＭ信号に対し、先頭及び末尾に付加したシンボルを取り除くステップとを具備したことを特徴とする請求項１又は２に記載のデジタル放送の疑似信号発生方法。
【請求項４】
前記ＯＦＤＭの時間波形データの生成過程において、ＯＦＤＭのパラメータを異ならせて複数種類の時間波形データを生成し、波形バンク部に前記複数種類の時間波形データを登録し、前記波形バンク部に登録された前記複数種類の時間波形データを任意に選択し、前記選択された時間波形データを高速メモリから繰り返し出力することを特徴とする請求項１、２又は３に記載のデジタル放送の疑似信号発生方法。
【発明の詳細な説明】
【０００１】
【発明の属する技術分野】
本発明は、地上デジタル放送波の伝送性能を確認するためにデジタル放送疑似信号を発生するデジタル放送疑似信号発生方法に関する。
【０００２】
【従来の技術】
地上デジタル（テレビジョン）放送（ＩＳＤＢ−Ｔ：Terrestrial Integrated Services Digital Broadcasting）は、２００３年から関東、近畿及び中京広域圏で、また、２００６年までにその他の地域で本放送開始が予定されている。
【０００３】
このため共聴用機器、ＣＡＴＶ伝送機器、ＴＶ受信機等では、既に地上デジタル放送波の伝送に対応した機器の検討や開発が進められている。すなわち、伝送路は複数の地上デジタル放送信号を伝送しなければならず、また、受信機は複数の地上デジタル放送信号を受信して目的の１波を正常に受信しなければならない。このため最終的には実際に複数の地上デジタル放送波を受信伝送した地上デジタル放送波伝送性能の確認が必要であり、地上デジタル放送開始後の電波発射状況をシミュレートした信号が必要になる。
【０００４】
地上デジタル放送開始後の電波発射状況をシミュレートした複数の地上デジタル放送波を生成するには、現在、以下の３つの方法が考えられる。
（１）  地上デジタル放送変調器を複数台用意する。
【０００５】
（２）  図１２に示すように１台の地上デジタル放送変調器（ＯＦＤＭ（Orthogonal Frequency Division Multiplex：直交周波数分割多重）変調器）１の出力を、複数のＲＦコンバータ（周波数コンバータ）２によりそれぞれ設定チャンネルの周波数に変換して出力する。
【０００６】
（３）  東京パイロット実験協議会が発射している地上デジタル試験放送を受信し、複数の周波数コンバータで複数の周波数に変換して出力する。
【０００７】
【発明が解決しようとする課題】
上記３つの方法によって地上デジタル放送波伝送性能の確認試験を行なうことができるが、次のような問題がある。
上記（１）の方法は最も理想的であるが、実際の放送用変調器を複数台使用するので非常に高価になる。
上記（２）の方法は、１台の地上デジタル放送変調器１の出力を複数のＲＦコンバータ２で周波数変換するので、その出力信号は複数の同期した同一スペクトルの信号、すなわち、シンボルのタイミングや変調まで全く同じ信号となり、地上デジタル放送開始後の実際の電波発射状況と異なってしまい、実際の状況に即した試験ができない。
上記（３）の方法は、空中に発射された電波を受信するので、場所によって安定度やＣ／Ｎ比（Carrier to Noise ratio）が異なる等の問題がある。
【０００８】
本発明は上記の課題を解決するためになされたもので、各チャンネル毎に異なる波形のデジタル放送疑似信号を発生でき、実際の状況に即した試験を行ない得ると共に安価に構成し得るデジタル放送疑似信号発生方法を提供することを目的とする。
【０００９】
【課題を解決するための手段】
第１の発明に係るデジタル放送疑似信号発生方法は、ランダムデータによりＱＰＳＫあるいはＱＡＭ変調されたＯＦＤＭ信号のキャリアを複素数のデータとして出力するステップと、前記各キャリアを逆フーリエ変換して複素数の時間波形データとして出力するステップと、前記時間波形データに対し、ＯＦＤＭシンボル期間の後端部におけるキャリア波形をＯＦＤＭシンボルの前端にガードインターバルとして付加するステップと、前記ガードインターバルを付加したＯＦＤＭ信号を４倍の周波数にアップサンプルするステップと、前記アップサンプルしたＯＦＤＭ信号を直交変調するステップと、前記直交変調後の信号に対して帯域外スぺクトラムを除去するステップとからなるソフトウェア処理によりＯＦＤＭの時間波形データを得たものを波形バンク部に登録し、信号発生に際しては前記波形バンク部に登録された時間波形データを前記波形バンク部から読出し、高速メモリに記憶させ、前記高速メモリから繰り返し出力することを特徴とする。
第２の発明に係るデジタル放送疑似信号発生方法は、ランダムデータによりＱＰＳＫあるいはＱＡＭ変調されたＯＦＤＭ信号のキャリアを複素数のデータとして出力するステップと、前記各キャリアを逆フーリエ変換して複素数の時間波形データとして出力するステップと、前記時間波形データに対し、ＯＦＤＭシンボル期間の後端部におけるキャリア波形をＯＦＤＭシンボルの前端にガードインターバルとして付加するステップと、前記ガードインターバルを付加したＯＦＤＭ信号の帯域外スぺクトラムを除去するステップと、前記帯域外スぺクトラムを除去した信号を４倍の周波数にアップサンプルし、４倍アップサンプルフィルタを介して取り出すステップと、前記４倍アップサンプルフィルタの出力信号を直交変調するステップと、前記直交変調後の信号に対して帯域外スぺクトラムを除去するステップとからなるソフトウェア処理によりＯＦＤＭの時間波形データを得たものを波形バンク部に登録し、信号発生に際しては前記波形バンク部に登録された時間波形データを前記波形バンク部から読出し、高速メモリに記憶させ、前記高速メモリから繰り返し出力することを特徴とする。
【００１０】
上記のように、ランダムデータによりＱＰＳＫあるいはＱＡＭ変調されたＯＦＤＭ信号のキャリアを複素数のデータとして取り出し、逆フーリエ変換して複素数の時間波形データとし、ガードインターバルを付加すると共に４倍アップサンプル処理し、その後、直交変調を行なうと共にスぺクトラム制限処理により帯域外スぺクトラムを除去して最終的なＯＦＤＭ信号を作成することにより、デジタル放送疑似信号の基準となるＯＦＤＭ信号を作成することができる。そして、上記ＯＦＤＭ信号を波形バンク部に予め登録し、この波形バンク部に登録した任意波形のデータを選択的に読出して高速メモリに記憶し、この高速メモリから繰り返して出力することにより連続した波形データを発生することができる。
【００１１】
【発明の実施の形態】
以下、図面を参照して本発明の一実施形態を説明する。
図１は、本発明に係るデジタル放送疑似信号発生方法の全体の構成を示すブロック図である。図１において、１１は任意波形発生部で、クロック生成部１２から４×５１２／６３ＭＨｚ（３２．５０７９３６…ＭＨｚ）のクロックが入力される。上記任意波形発生部１１は、上記クロックに同期して波形バンク部１３に対するアドレスを生成し、このアドレスにより波形バンク部１３から波形データを読出して内部の高速メモリに記憶し、この高速メモリに記憶した波形データを繰り返し読出して次段のＩＦコンバータ１４に出力する。
【００１２】
上記クロック生成部１２は、内部に例えば水晶振動子等の１０ＭＨｚのクロックを発生する発振素子１７を備え、この発振素子１７のクロックと外部から入力される１０ＭＨｚの外部基準信号とを任意に切換えて使用できるようになっている。
【００１３】
クロック生成部１２は、１０ＭＨｚの外部基準信号あるいは発振素子１７の出力信号に基づいて４×５１２／６３ＭＨｚ（３２．５０７９３６…ＭＨｚ）のクロックと５１２／６３＋３７．１５ＭＨｚ（４５．２７６９８４…ＭＨｚ）のクロックを生成し、４×５１２／６３ＭＨｚ（３２．５０７９３６…ＭＨｚ）のクロックを任意波形発生部１１に入力し、５１２／６３＋３７．１５ＭＨｚ（４５．２７６９８４…ＭＨｚ）のクロックをＩＦコンバータ１４に局部発振信号として入力する。
【００１４】
波形バンク部１３は、複数のメモリ例えば１６個のＥＰＲＯＭを備え、各ＥＰＲＯＭにそれぞれデジタル放送疑似信号波形データすなわちＯＦＤＭ（Orthogonal Frequency Division Multiplex：直交周波数分割多重）信号を予め登録している。上記各ＥＰＲＯＭに登録するＯＦＤＭ信号は、モード、ガードインターバル、変調方式について、ＩＳＤＢ−Ｔ（Terrestrial Integrated Services Digital Broadcasting：地上デジタル放送）の仕様に準拠し、ランダムデータで変調された複数のシンボルからなっている。この各ＥＰＲＯＭに登録するＯＦＤＭ信号の生成方法については詳細を後述する。また、波形バンク部１３における１６個のＥＰＲＯＭは、フロントパネル部１５に設けた１６個の波形選択ボタンによって選択できるようになっている。
上記フロントパネル部１５の波形選択ボタンが操作されると、対応するＥＰＲＯＭが選択され、このＥＰＲＯＭが任意波形発生部１１によりアドレス指定されて予め登録されている波形データが読出される。
【００１５】
任意波形発生部１１は、波形バンク部１３から読出した波形データを内部の高速メモリに記憶した後、この高速メモリから繰り返して読出し、順次Ｄ／Ａ変換して中心周波数５１２／６３ＭＨｚ（８．１２６９８５…ＭＨｚ）の信号を生成し、ＩＦコンバータ１４に入力する。ＩＦコンバータ１４は、任意波形発生部１１から入力される中心周波数５１２／６３ＭＨｚ（８．１２６９８５…ＭＨｚ）の信号とクロック生成部１２からの局部発振周波数５１２／６３＋３７．１５ＭＨｚ（４５．２７６９８４…ＭＨｚ）の信号との差をとり、３７．１５ＭＨｚを中心とするＩＦ周波数（中間周波数）に変換してＲＦコンバータ１６に出力する。
【００１６】
また、ＲＦコンバータ１６には、１０ＭＨｚの外部基準信号及びチャンネル設定信号が入力される。ＲＦコンバータ１６は、内部にクロック生成部を備えている。このクロック生成部は、上記図１におけるクロック生成部１２と同様に、内部発振素子による１０ＭＨｚのクロックと外部から入力される１０ＭＨｚの外部基準信号とを任意に切換えて必要な同期クロックを生成している。
【００１７】
ＲＦコンバータ１６は、内部のクロック生成部で生成した同期クロックに同期して動作し、ＩＦコンバータ１４から入力されるＩＦ信号をチャンネル設定信号に従って指定ＴＶチャンネルの周波数に変換し、デジタル放送疑似信号として出力する。
【００１８】
ＲＦコンバータ１６におけるチャンネル設定、すなわち、９０ＭＨｚから７７０ＭＨｚまでの周波数を使用する有線テレビジョン放送の搬送波の周波数は、９３ＭＨｚから７６７ＭＨｚまで、例えば９３ＭＨｚ、９９ＭＨｚ、１０５ＭＨｚ、…、…、７６７ＭＨｚと、６ＭＨｚの間隔で設定された周波数のうちから選定し、かつ、その周波数よりも１／７ＭＨｚ（＝１４２．８５７…ｋＨｚ）だけ高い方へずらして配置する。また、デジタル放送の標準方式の使用する周波数帯域は５．６ＭＨｚである。なお、ＲＦコンバータ１６は、上記有線テレビジョン放送法施行規則で規定された周波数と、１／７ＭＨｚを加えない周波数の切換えができるようになっている。
【００１９】
また、図２は搬送波の変調波スペクトルの許容範囲を示したものである。搬送波の周波数に対し、±２．７９ＭＨｚにおける相対減衰量は０ｄＢ、±２．８６ＭＨｚにおける相対減衰量は−２０ｄＢ、±３．００ＭＨｚにおける相対減衰量は−２７ｄＢ、±４．３６ＭＨｚにおける相対減衰量は−５０ｄＢとなっている。
【００２０】
図３は、波形バンク部１３の各ＥＰＲＯＭに登録するＯＦＤＭ信号の生成方法について示したものである。このＯＦＤＭ信号の生成は、ソフトウェア処理によって行なうもので、このソフトウェア処理は、例えばランダムデータ生成／マッピング手段２１、ＩＦＦＴ手段２２、ガードインターバル付加手段２３、スぺクトラム制限手段２４、４倍アップサンプル手段２５、４倍アップサンプルフィルタ２６、直交変調手段２７、スぺクトラム制限手段２８からなっている。
【００２１】
上記ランダムデータ生成／マッピング手段２１は、例えば数値演算ソフトのランダム関数を用いてランダムデータを生成する。ランダム関数の生成アルゴリズムとしては、例えば線形合同法が用いられる。ランダムデータ生成／マッピング手段２１は、上記ランダムデータにより例えば図４（ａ）、（ｂ）に示すようにＱＡＭ変調あるいはＱＰＳＫ変調し、デジタル放送疑似信号のキャリアとして出力する。このキャリアは、複素数のデータ（Ｒｅ：実数、Ｉｍ：虚数）として出力される。図４（ａ）、（ｂ）は、ＯＦＤＭ信号の各キャリアのマッピング状態を示したもので、（ａ）は６４ＱＡＭ変調を行なった場合、（ｂ）はＱＰＳＫ変調を行なった場合である。
【００２２】
上記ランダムデータ生成／マッピング手段２１から出力されるキャリアは、逆フーリエ変換（ＩＦＦＴ）手段２２により、複素数の時間波形データとして出力される。
【００２３】
上記逆フーリエ変換手段２２で時間波形生成後、ガードインターバル付加手段２３により、図５（ａ）に示すように各ＯＦＤＭシンボル期間の後端部Ｂにおけるキャリア波形をＯＦＤＭシンボルの前端Ａにガードインターバルとして付加する。図５（ｂ）は、ガイドインターバルを付加したときの波形例を示したものである。上記ガードインターバルの長さは、例えば１／３２、１／１６、１／８、１／４等の値に予め設定される。
【００２４】
上記ガードインターバルを付加することで、ＯＦＤＭ信号のスぺクトラムが広がるので、スぺクトラム制限手段２４により、デジタルＬＰＦにて帯域外スぺクトラムを除去する。上記デジタルＬＰＦを使用する場合、例えばＯＦＤＭ信号をフーリエ変換（ＦＦＴ）により周波数領域に変換し、周波数軸データ上で不要スぺクトラム部分のデータを“０”とすることによってスぺクトラム制限を行なう。上記の処理によってソフトウェア上の処理が簡単となり、処理速度を向上することができる。
【００２５】
上記スぺクトラム制限手段２４で帯域外スぺクトラムを除去した信号を４倍アップサンプル手段２５にて４倍の周波数にアップサンプルし、４倍アップサンプルフィルタ２６を介して取り出す。これは最終的に５１２／６３ＭＨｚ（８．１２６９８５…ＭＨｚ）の中心周波数の信号を得るための処理である。
【００２６】
そして、直交変調手段２７において、上記４倍アップサンプルフィルタ２６の出力信号、すなわちベースバンドのＯＦＤＭ信号を直交変調し、中心周波数が５１２／６３ＭＨｚ（８．１２６９８５…ＭＨｚ）のＩＦ周波数に変換する。直交変調手段２７は、sin 及びcos の信号を局部発振周波数の信号として使用し、直交変調する。
【００２７】
図６は、直交変調時のスペクトルを示したもので、同図（ａ）はＦＦＴ窓内でのキャリアの配置状態、同図（ｂ）は直交変調後のキャリアの配置状態を示している。アナログのハードウエアで直交変調を行なった場合、ＤＣオフセットの影響を受けるという問題があるが、上記のようにソフトウェアで直交変調を行なうことにより、ＤＣオフセットの影響を確実に防止することができる。
【００２８】
次に、上記直交変調後の信号に対し、スぺクトラム制限手段２８により帯域外スぺクトラムを除去し、最終的なＯＦＤＭの時間波形信号として取り出し、上記波形バンク部１３に登録する。
【００２９】
上記ＯＦＤＭ信号の生成では、ランダムデータ生成／マッピング手段２１等において、ＩＳＤＢ−Ｔに準拠したＯＦＤＭパラメータを設定し、複数種類の波形信号を生成し、波形バンク部１３に設けられている複数のＥＰＲＯＭに登録する。従って、ＥＰＲＯＭ１３１を選択することによって任意の波形を選択することができる。
【００３０】
ＩＳＤＢ−Ｔに準拠したＯＦＤＭパラメータは、
キャリア変調方式：ＤＰＱＳＫ、ＱＰＳＫ、１６ＱＡＭ、６４ＱＡＭ、
キャリア数：Ｍｏｄｅ １：１４０５本、Ｍｏｄｅ ２：２８０９本、Ｍｏｄｅ３：５６１７本、
ガードインターバル：１／３２、１／１６、１／８、１／４、
となっている。また、シンボル数は、Ｍｏｄｅ １でガードインターバルが１／３２のとき「３１シンボル」、Ｍｏｄｅ ３でガードインターバルが１／４のとき「６シンボル」である。
【００３１】
波形バンク部１３に登録するＯＦＤＭ信号は、ＩＳＤＢ−Ｔに完全に準拠する必要はないが、例えばＭｏｄｅ、ＦＦＴ周期、変調方式、ガードインターバル長についてＩＳＤＢ−Ｔに準拠することで、振幅特性の特徴をＩＳＤＢ−ＴのＯＦＤＭ信号と同様にする。
【００３２】
図７は、波形バンク部１３のＥＰＲＯＭに登録するＯＦＤＭ信号として１２種類のパターンを生成する場合のパラメータ設定例について示したものである。すなわち、モード３種類（Ｍｏｄｅ １〜Ｍｏｄｅ ３）、キャリア変調方式２種類（ＱＰＳＫ、６４ＱＡＭ）、ガードインターバル２種類（１／３２、１／４）を組み合わせて１２種類の信号パターンを設定している。
【００３３】
上記波形バンク部１３におけるＥＰＲＯＭとして４Ｍbitのメモリを使用すれば、ＯＦＤＭ信号（Ｍｏｄｅ １、ガードインターバル１／３２）を３１シンボル出力することができる。
【００３４】
次に、図３におけるスぺクトラム制限手段２８の処理について、更に詳細に説明する。複数のシンボルで構成されるＯＦＤＭ信号を生成したとき、図８に示すようにシンボル間の接続点Ａ、Ｂが不連続の状態になり、スぺクトラムが広がるので、複数のシンボルがつながった状態で帯域制限する必要がある。
【００３５】
本実施形態では、波形バンク部１３に登録した有限の複数シンボルからなるＯＦＤＭ信号を任意波形発生部１１に読出してメモリに記憶し、このメモリに記憶した有限シンボル数を繰り返し出力するので、シンボルの先頭と末尾の接続で不連続が生じないようにスぺクトラム制限手段２８において処理する。
【００３６】
今、例えば図９（ａ）に示すように１〜２８のシンボルを接続してなるＯＦＤＭ信号に対し、スぺクトラム制限手段２８でそのままでフィルタ処理して帯域を制限した場合には、同図（ｂ）に示すように各シンボル１〜２８間のつなぎ目は生じないが、末尾のシンボル２８と先頭のシンボル１との間が不連続の状態となる。
【００３７】
このような不都合を解消するため本実施形態では、スぺクトラム制限手段２８におて、先ず、図１０（ａ）に示すように先頭のシンボル１の前に末尾のシンボル２８と同じシンボルを付加すると共に、末尾のシンボル２８の後に先頭のシンボル１と同じシンボルを付加する。この状態でフィルタ処理を行なって帯域を制限すると、図１０（ｂ）に示すようにシンボル１〜２８間のつなぎ目がなくなると共に、先頭のシンボル１とその前に付加されたシンボル２８との間、及び末尾のシンボル２８とその後に付加されたシンボル１との間のつなぎ目がなくなった状態になる。この状態で、図１０（ｃ）に示すように先頭に付加したシンボル２８と、末尾に付加したシンボル１を取り除くと、末尾のシンボル２８と先頭のシンボル１との間が滑らかに連続した状態となる。
【００３８】
上記のスぺクトラム制限処理を行なったＯＦＤＭ信号を波形バンク部１３の各ＥＰＲＯＭに登録すると、任意波形発生部１１が波形バンク部１３から読出したＯＦＤＭ信号をメモリに記憶して繰り返し出力しても、末尾のシンボル２８と先頭のシンボル１との間が滑らかに連続した状態に保持される。
【００３９】
図１１は、任意波形発生部１１における出力信号の周波数スペクトルを示したもので、（ａ）はスぺクトラム制限手段２８において不連続部に対するフィルタ処理を行なわなかった場合、（ｂ）は不連続部に対するフィルタ処理を行なった場合である。図１１（ａ）では帯域外スペクトルが発生しているが、同図（ｂ）では帯域外スペクトルが十分に除去されていることが分かる。
上記スぺクトラム制限手段２８の処理を行なうことにより、複数シンボル間のつなぎ目を無くして円滑に接続でき、帯域外スペクトルを確実に除去することができる。
【００４０】
【発明の効果】
以上詳記したように本発明によれば、ランダムデータによりＱＰＳＫあるいはＱＡＭ変調されたＯＦＤＭ信号のキャリアを複素数のデータとして取り出し、逆フーリエ変換して複素数の時間波形データとし、ガードインターバルを付加すると共に４倍アップサンプル処理し、その後、直交変調を行なうと共にスぺクトラム制限処理により帯域外スぺクトラムを除去して最終的なＯＦＤＭ信号を作成することにより、デジタル放送疑似信号の基準となるＯＦＤＭ信号を作成することができる。そして、上記ＯＦＤＭ信号を波形バンク部に予め登録し、この登録した任意波形のデータを選択的に読出して高速メモリに記憶し、この高速メモリから繰り返して出力することにより連続した波形データを発生することができる。更に、この連続した波形データを指定されたチャンネルの高周波信号に変換することにより、任意チャンネルのデジタル放送疑似信号を発生することができる。従って、各チャンネル別に異なる波形のデジタル放送疑似信号を発生でき、実際の状況に即した試験を行なうことができると共に、実際の放送用変調器を使用しないので安価に構成することができる。
【００４１】
また、上記直交変調後の信号に対して帯域外スぺクトラムを除去し、最終的なＯＦＤＭ信号として取り出す際に、ＯＦＤＭ信号を構成する先頭のシンボルの前に末尾と同じシンボルを付加すると共に、末尾のシンボルの後に先頭と同じシンボルを付加した後、フィルタ処理して帯域外スぺクトラムを除去し、その後、上記帯域外スぺクトラムを除去したＯＦＤＭ信号に対し、先頭及び末尾に付加したシンボルを取り除くようにしたので、ＯＦＤＭ信号を繰り返して出力する場合においても、複数シンボル間のつなぎ目を無くして円滑に接続でき、帯域外スペクトルを確実に除去することができる。
【図面の簡単な説明】
【図１】本発明の一実施形態に係るデジタル放送疑似信号発生方法の全体構成を示すブロック図。
【図２】同実施形態における搬送波の変調波スペクトルの許容範囲を示す図。
【図３】同実施形態における波形バンク部に登録するＯＦＤＭ信号の生成方法を示す図。
【図４】（ａ）は６４ＱＡＭ変調を行なった場合ＯＦＤＭ信号の各キャリアのマッピング状態を示す図、（ｂ）はＱＰＳＫ変調を行なった場合ＯＦＤＭ信号の各キャリアのマッピング状態を示す図。
【図５】（ａ）はガードインターバルを付加する場合の処理動作を説明するための図、（ｂ）はガードインターバルを付加した場合の波形例を示す図。
【図６】直交変調時のスペクトルを示す図。
【図７】波形バンク部に登録するＯＦＤＭ信号のパラメータ設定例を示す図。
【図８】複数シンボルを接続した場合におけるシンボル間の不連続状態を示す波形図。
【図９】複数のシンボルを接続してなるＯＦＤＭ信号に対して通常のフィルタ処理を行なった場合におけるシンボル間の接続状態を示す図。
【図１０】複数のシンボルを接続してなるＯＦＤＭ信号に対して本発明のフィルタ処理を行なった場合におけるシンボル間の接続状態を示す図。
【図１１】スぺクトラム制限手段２８において不連続部に対するフィルタ処理を行なわなかった場合の周波数スペクトルを示す図、（ｂ）は不連続部に対してフィルタ処理を行なった場合の周波数スペクトルを示す図。
【図１２】従来の地上デジタル放送信号の作成例を示す図。
【符号の説明】
１１…任意波形発生部
１２…クロック生成部
１３…波形バンク部
１４…ＩＦコンバータ
１５…フロントパネル部
１６…ＲＦコンバータ
１７…発振素子
２１…ランダムデータ生成／マッピング手段
２２…逆フーリエ変換手段
２３…ガードインターバル付加手段
２４…スぺクトラム制限手段
２５…４倍アップサンプル手段
２６…４倍アップサンプルフィルタ
２７…直交変調手段
２８…スぺクトラム制限手段
【図１】
0003732767.tif 000002
【図２】
0003732767.tif 000003
【図３】
0003732767.tif 000004
【図４】
0003732767.tif 000005
【図５】
0003732767.tif 000006
【図６】
0003732767.tif 000007
【図７】
0003732767.tif 000008
【図８】
0003732767.tif 000009
【図９】
0003732767.tif 000010
【図１０】
0003732767.tif 000011
【図１１】
0003732767.tif 000012
【図１２】
0003732767.tif 000013